(57)【要約】【課題】煩雑なしきい値設定を行うことなく、ノイズや検出する必要のない欠陥に埋没した、ユーザが所望する欠陥を高感度、かつ高速に検出することができる欠陥検査装置及びその方法を提供することにある。【解決手段】本発明は、被検査対象物を所定の光学条件で照射する照明光学系と、被検査対象物からの散乱光を所定の検出条件で検出して画像データを取得する検出光学系とを備えた欠陥検査装置であって、さらに、入力される被検査対象物の設計データから特徴を算出し、前記検出光学系で取得される光学条件若しくは画像データ取得条件が異なる複数の画像データから特徴量を算出する特徴算出部と、該算出された設計データからの特徴と複数の画像データからの特徴量とを統合処理して欠陥候補を検出する欠陥候補検出部と、該検出された欠陥候補から前記特徴算出部で算出される設計データの特徴を基に致命性の高い欠陥を抽出する欠陥抽出部とを有する画像処理部を備えたことを特徴とする。【選択図】図１
2010175270.tif 000002
【特許請求の範囲】
【請求項１】
被検査対象物を所定の光学条件で照射する照明光学系と、
該照明光学系で所定の光学条件で照射された被検査対象物からの散乱光を所定の検出条件で検出して画像データを取得する検出光学系とを備えた欠陥検査装置であって、
さらに、入力される被検査対象物の設計データから特徴を算出する特徴算出部と、前記検出光学系で取得される被検査対象物上の対応する箇所の画像データと前記特徴算出部で算出された特徴とを用いて欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする欠陥検査装置。
【請求項２】
前記欠陥候補検出部において用いる前記画像データは、前記検出光学系により取得される光学条件若しくは画像データ取得条件が異なる複数の画像データであることを特徴とする請求項１に記載の欠陥検査装置。
【請求項３】
前記欠陥候補検出部において、前記被検査対象物上に形成されたパターンの形状に応じて異なる複数の欠陥候補検出処理を並列に実行することを特徴とする請求項１又は２に記載の欠陥検査装置。
【請求項４】
前記欠陥候補検出部において、前記被検査対象物の設計データから抽出される前記被検査対象物上に形成されたパターンの形状に応じて前記検出光学系により取得される画像データの各領域に対して複数の欠陥候補検出処理の何れかを適用することを特徴とする請求項１又は２に記載の欠陥検査装置。
【請求項５】
被検査対象物を所定の光学条件で照射する照明光学系と、
該照明光学系で所定の光学条件で照射された被検査対象物からの散乱光を所定の検出条件で検出して画像データを取得する検出光学系とを備えた欠陥検査装置であって、
さらに、入力される被検査対象物の設計データから特徴を算出し、前記検出光学系で取得される光学条件若しくは画像データ取得条件が異なる複数の画像データから特徴量を算出する特徴算出部と、該特徴算出部で算出された設計データからの特徴と複数の画像データからの特徴量とを統合処理して欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする欠陥検査装置。
【請求項６】
前記欠陥候補検出部において、前記設計データからの特徴と前記複数の画像データからの特徴量との統合処理を、前記設計データから対応点を決定して行うことを特徴とする請求項５に記載の欠陥検査装置。
【請求項７】
被検査対象物を所定の光学条件で照射する照明光学系と、
該照明光学系で所定の光学条件で照射された被検査対象物からの散乱光を所定の検出条件で検出して画像データを取得する検出光学系とを備えた欠陥検査装置であって、
さらに、入力される被検査対象物の設計データから特徴を算出し、前記検出光学系で取得される光学条件若しくは画像データ取得条件が異なる複数の画像データから特徴量を算出する特徴算出部と、該特徴算出部で算出された被検査対象物上の対応する箇所の設計データからの特徴と複数の画像データからの特徴量とを統合処理して欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする欠陥検査装置。
【請求項８】
さらに、前記被検査対象物を所定の光学条件で照射し、被検査対象物からの散乱光を所定の検出条件で検出した場合に得られる画像データを予めシミュレーションにより算出するシミュレータを備え、
前記欠陥候補検出部において、前記設計データからの特徴と前記複数の画像データからの特徴量との統合処理の対応付けを前記シミュレータによるシミュレーション結果に基づいて行うことを特徴とする請求項７に記載の欠陥検査装置。
【請求項９】
前記シミュレータにおいて、前記被検査対象物から得られる画像データのシミュレーションには設計データを用いることを特徴とする請求項８に記載の欠陥検査装置。
【請求項１０】
被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置における欠陥検査方法であって、
入力される被検査対象物の設計データから特徴を算出する特徴算出ステップと、前記検出光学系で取得される被検査対象物上の対応する箇所の画像データと前記特徴算出ステップで算出された特徴とを用いて欠陥候補を検出する欠陥候補検出ステップと、該欠陥候補検出ステップで検出された欠陥候補から前記特徴算出ステップで算出される設計データの特徴を基に致命性の高い欠陥を抽出する欠陥抽出ステップとを含む画像処理過程を有することを特徴とする欠陥検査方法。
【請求項１１】
被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置における欠陥検査方法であって、
入力される被検査対象物の設計データから特徴を算出し、前記検出光学系で取得される光学条件若しくは画像データ取得条件が異なる複数の画像データから特徴量を算出する特徴算出ステップと、該特徴算出ステップで算出された設計データからの特徴と複数の画像データからの特徴量とを統合処理して欠陥候補を検出する欠陥候補検出ステップと、該欠陥候補検出ステップで検出された欠陥候補から前記特徴算出ステップで算出される設計データの特徴を基に致命性の高い欠陥を抽出する欠陥抽出ステップとを含む画像処理過程を有することを特徴とする欠陥検査方法。
【請求項１２】
被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置における欠陥検査方法であって、
入力される被検査対象物の設計データから特徴を算出し、前記検出光学系で取得される光学条件若しくは画像データ取得条件が異なる複数の画像データから特徴量を算出する特徴算出ステップと、該特徴算出ステップで算出された被検査対象物上の対応する箇所の設計データからの特徴と複数の画像データからの特徴量とを統合処理して欠陥候補を検出する欠陥候補検出ステップと、該欠陥候補検出ステップで検出された欠陥候補から前記特徴算出ステップで算出される設計データの特徴を基に致命性の高い欠陥を抽出する欠陥抽出ステップとを含む画像処理過程を有することを特徴とする欠陥検査方法。
【発明の詳細な説明】
【技術分野】
【０００１】
本発明は、光若しくはレーザ若しくは電子線等を用いて得られた被検査対象物の画像（検出画像）と参照画像とを比較して、その比較結果に基づいて微細パターン欠陥や異物等を検出する検査に係り、特に半導体ウェハ、ＴＦＴ、ホトマスク等の外観検査を行うのに好適な欠陥検査装置及びその方法に関する。
【背景技術】
【０００２】
検出画像と参照画像とを比較して欠陥検出を行う従来の技術としては、特開平０５−２６４４６７号公報（特許文献１）に記載の方法が知られている。これは、繰り返しパターンが規則的に並んでいる被検査対象物をラインセンサで順次撮像し、繰り返しパターンピッチ分の時間遅れをおいた画像と比較し、その不一致部を欠陥として検出するものである。
【０００３】
【特許文献１】特開平０５−２６４４６７号公報
【発明の開示】
【発明が解決しようとする課題】
【０００４】
被検査対象物である半導体ウェハでは、ＣＭＰによる平坦化等により、隣接チップであってもパターンに膜厚の微妙な違いが生じ、チップ間の画像には局所的に明るさの違い（輝度差）がある。従来方式のように、輝度差が特定のしきい値ｔｈ以上となる部分を欠陥とするならば、このような膜厚の違いにより明るさが異なる領域も欠陥として検出されることになる。これは本来、欠陥として検出されるべきものではない。つまり虚報である。従来は虚報発生を避けるための１つの方法として、欠陥検出のためのしきい値を大きくしていた。しかし、これは感度を下げることになり、同程度以下の差分値の欠陥は検出できない。
【０００５】
また、膜厚の違いによる明るさの違いは、配列チップのうち、ウェハ内の特定チップ間でのみ生じる場合や、チップ内の特定のパターンでのみ生じる場合があるが、これらのローカルなエリアにしきい値を合わせてしまうと全体の検査感度を著しく低下させることになる。さらに、ローカルなエリア毎の明るさの違いに応じてしきい値を設定するのは、操作が煩雑となり、ユーザにとって好ましくない。
【０００６】
また、感度を阻害する要因として、パターンの太さのばらつきを起因とするチップ間の明るさの違いがある。従来の明るさによる比較検査では、このような明るさばらつきがある場合、検査時のノイズとなる。
【０００７】
一方、欠陥の種類は多様であり、検出する必要のない欠陥（正常パターンノイズと見なしてよいもの）と検出すべき欠陥に大別できる。本願では、欠陥ではないのに誤って欠陥として検出されたもの（虚報）と正常パターンノイズ等とを合わせて非欠陥と呼ぶ。外観検査には、膨大な数の欠陥の中からユーザが所望する欠陥のみを抽出することが求められているが、上記輝度差としきい値との比較では、これを実現することは難しい。また、材質、表面粗さ、サイズ、深さ等検査対象に依存したファクタと、照明条件等検出系に依存したファクタとの組合せにより、欠陥の種類ごとの見え方が変わることが多く、所望する欠陥のみを抽出する条件設定を行うのは困難である。
【０００８】
本発明の目的は、上記課題に鑑み、煩雑なしきい値設定を行うことなく、ノイズや検出する必要のない欠陥に埋没した、ユーザが所望する欠陥を高感度、かつ高速に検出することができる欠陥検査装置及びその方法を提供することにある。
【課題を解決するための手段】
【０００９】
上記目的を達成するために、本発明は、被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置であって、さらに、入力される被検査対象物の設計データから特徴を算出する特徴算出部と、前記検出光学系で取得される被検査対象物上の対応する箇所の画像データと前記特徴算出部で算出された特徴とを用いて欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする。
【００１０】
また、本発明は、前記欠陥候補検出部において用いる前記画像データは、前記検出光学系により取得される光学条件若しくは画像データ取得条件が異なる複数の画像データであることを特徴とする。また、本発明は、前記欠陥候補検出部において、前記被検査対象物上に形成されたパターンの形状に応じて異なる複数の欠陥候補検出処理を並列に実行することを特徴とする。また、本発明は、前記欠陥候補検出部において、前記被検査対象物の設計データから抽出される前記被検査対象物上に形成されたパターンの形状に応じて前記検出光学系により取得される画像データの各領域に対して複数の欠陥候補検出処理の何れかを適用することを特徴とする。
【００１１】
また、本発明は、被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置であって、さらに、入力される被検査対象物の設計データから特徴を算出し、前記検出光学系で取得される光学条件若しくは画像データ取得条件が異なる複数の画像データから特徴量を算出する特徴算出部と、該特徴算出部で算出された設計データからの特徴と複数の画像データからの特徴量とを統合処理して欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする。
【００１２】
また、本発明は、前記欠陥候補検出部において、前記設計データからの特徴と前記複数の画像データからの特徴量との統合処理を、前記設計データから対応点を決定して行うことを特徴とする。
【００１３】
また、本発明は、被検査対象物を所定の光学条件で照射する照明光学系と、該照明光学系で所定の光学条件で照射された被検査対象物からの散乱光を所定の検出条件で検出して画像データを取得する検出光学系とを備えた欠陥検査装置であって、さらに、入力される被検査対象物の設計データから特徴を算出し、前記検出光学系で取得される光学条件若しくは画像データ取得条件が異なる複数の画像データから特徴量を算出する特徴算出部と、該特徴算出部で算出された被検査対象物上の対応する箇所の設計データからの特徴と複数の画像データからの特徴量とを統合処理して欠陥候補を検出する欠陥候補検出部と、該欠陥候補検出部で検出された欠陥候補から前記特徴算出部で算出される設計データの特徴を基に致命性の高い欠陥を抽出する欠陥抽出部とを有する画像処理部を備えたことを特徴とする。
【００１４】
また、本発明は、さらに、前記被検査対象物を所定の光学条件で照射し、被検査対象物からの散乱光を所定の検出条件で検出した場合に得られる画像データを予めシミュレーションにより算出するシミュレータを備え、前記欠陥候補検出部において、前記設計データからの特徴と前記複数の画像データからの特徴量との統合処理の対応付けを前記シミュレータによるシミュレーション結果に基づいて行うことを特徴とする。また、本発明は、前記シミュレータにおいて、前記被検査対象物から得られる画像データのシミュレーションには設計データを用いることを特徴とする。
【発明の効果】
【００１５】
本発明によれば、設計データを利用することにより、煩雑な設定を必要とせずに、高感度に致命性の高い欠陥を検出することが可能となる。
【発明を実施するための最良の形態】
【００１６】
本発明に係る欠陥検査装置及びその方法の実施の形態について図１乃至図１４を用いて説明する。まず、被検査対象物として半導体ウェハを対象とした暗視野照明による欠陥検査装置の実施の形態について説明する。
【００１７】
図１は本発明に係る欠陥検査装置の実施の形態を示す概念図である。光学部１は、複数の照明部１５ａ、１５ｂ及び検出部１７を有して構成される。照明部１５ａと照明部１５ｂとは互いに異なる光学条件（例えば照射角度、偏光状態、波長等が異なる）の照明光を被検査対象物（半導体ウェハ１１）に照射する。照明部１５ａ及び照明部１５ｂの各々から出射される照明光により被検査対象物１１から夫々散乱光３ａ及び散乱光３ｂが発生し、該発生した散乱光３ａ及び散乱光３ｂの夫々を検出部１７ａ及び検出部１７ｂの夫々で散乱光強度信号として検出する。該検出された散乱光強度信号の夫々は一旦、メモリ２に格納され、画像処理部１８に入力される。画像処理部１８は、前処理部１８−１、欠陥候補検出部１８−２、欠陥抽出部１８−３を適宜有して構成される。画像処理部１８に入力された散乱光強度信号に対し、前処理部１８−１において、後述する信号補正、画像分割等を行う。欠陥候補検出部１８−２では前処理部１８−１で生成された画像から、後述する処理を行い、欠陥候補を検出する。欠陥抽出部１８−３では、欠陥候補検出部１８−２で検出された欠陥候補からユーザが不要とする欠陥種や致命性のない欠陥を除外し、ユーザが必要とする欠陥種や致命性の高い欠陥を抽出し、全体制御部１９に出力する。図１では、散乱光３ａ、３ｂは別々の検出部１７ａ、１７ｂで検出する実施の形態を示すが、１つの検出部で共通に検出しても構わない。また、照明部及び検出部は２つである必要はなく、１又は３つ以上であっても構わない。
【００１８】
散乱光３ａ及び散乱光３ｂの夫々は、各々照明部１５ａ及び１５ｂに対応して発生する散乱光分布を指す。照明部１５ａによる照明光の光学条件と照明部１５ｂによる照明光の光学条件が異なれば、各々によって発生する散乱光３ａと散乱光３ｂは互いに異なる。本明細書において、ある照明光によって発生した散乱光の光学的性質およびその特徴を、その散乱光の散乱光分布と呼ぶ。散乱光分布とは、より具体的には、散乱光の出射位置・出射方位・出射角度に対する、強度・振幅・位相・偏光・波長・コヒーレンシ等の光学パラメータ値の分布を指す。
【００１９】
次に、図１に示す構成を実現する具体的な欠陥検査装置の一実施の形態としての模式図を図２に示す。即ち、本発明に係る欠陥検査装置は、被検査対象物（半導体ウェハ１１）に対して照明光を斜方から照射する複数の照明部１５ａ、１５ｂと、半導体ウェハ１１からの垂直方向への散乱光を結像させる検出光学系（上方検出系）１６と、斜方向への散乱光を結像させる検出光学系（斜方検出系）１３０と、それぞれの検出光学系により結像された光学像を受光し、画像信号に変換する検出部１７、１３１と、得られた画像信号を格納するメモリ２と、画像処理部１８と、全体制御部１９とを適宜含んで構成される。半導体ウェハ１１はＸＹ平面内の移動及び回転とＺ方向への移動が可能なステージ（Ｘ−Ｙ−Ｚ−θステージ）１２に搭載され、Ｘ−Ｙ−Ｚ−θステージ１２はメカニカルコントローラ１３により駆動される。このとき、半導体ウェハ１１をＸ−Ｙ−Ｚ−θステージ１２に搭載し、該Ｘ−Ｙ−Ｚ−θステージ１２を水平方向に移動させながら被検査対象物上の異物からの散乱光を検出することで、検出結果を二次元画像として得る。
【００２０】
照明部１５ａ及び１５ｂの各照明光源は、レーザを用いても、ランプを用いてもよい。また、各照明光源の波長の光は短波長であってもよく、また、広帯域の波長の光（白色光）であってもよい。短波長の光を用いる場合、検出する画像の分解能を上げる（微細な欠陥を検出する）ために、紫外領域の波長の光（Ultra Violet Light：ＵＶ光）を用いることもできる。レーザを光源として用いる場合、それが単波長のレーザである場合には、可干渉性を低減する手段（図示していない）を照明部１５ａ及び１５ｂの夫々に備えることも可能である。
【００２１】
半導体ウェハ１１から発した散乱光は光路が分岐され、一方は検出光学系１６を介して検出部１７にて画像信号に変換される。また、他方は検出光学系１３０を介して検出部１３１にて画像信号に変換される。
【００２２】
検出部１７、１３１は、イメージセンサに複数の１次元イメージセンサを２次元に配列して構成した時間遅延積分型のイメージセンサ（Time Delay Integration Image Sensor：ＴＤＩイメージセンサ）を採用し、Ｘ−Ｙ−Ｚ−θステージ１２の移動と同期して各１次元イメージセンサが検出した信号を次段の１次元イメージセンサに転送して加算することにより、比較的高速で高感度に２次元画像を得ることが可能になる。このＴＤＩイメージセンサとして複数の出力タップを備えた並列出力タイプのセンサを用いることにより、センサからの出力を並列に処理することができ、より高速な検出が可能になる。
【００２３】
画像処理部１８は被検査対象物である半導体ウェハ１１上の欠陥を抽出するものであって、検出部１７、１３１から入力された画像信号に対してシェーディング補正、暗レベル補正等の画像補正を行い、一定単位の大きさの画像に分割する前処理部１８−１、補正、分割された画像から欠陥候補を検出する欠陥候補検出部１８−２、検出された欠陥候補からユーザ指定の不要欠陥やノイズ以外の致命欠陥を抽出する欠陥抽出部１８−３、抽出された致命欠陥を欠陥種に応じて分類する欠陥分類部１８−４、外部から入力されるパラメータなどを受け付け、欠陥候補検出部１８−２および欠陥抽出部１８−３へセットするパラメータ設定部（教示データ設定部）１８−５を適宜含んで構成される。そして、画像処理部１８において例えばパラメータ設定部１８−５はデータベース１１０２を接続して構成される。
【００２４】
全体制御部１９は、各種制御を行うＣＰＵ（全体制御部１９に内蔵）を備え、ユーザからのパラメータなどを受け付け、検出された欠陥候補の画像、最終的に抽出された欠陥の画像等を表示する表示手段と入力手段を持つユーザインターフェース部（ＧＵＩ部）１９−１及び画像処理部１８で検出された欠陥候補の特徴量や画像等を記憶する記憶装置１９−２を適宜接続している。メカニカルコントローラ１３は、全体制御部１９からの制御指令に基づいてＸ−Ｙ−Ｚ−θステージ１２を駆動する。尚、画像処理部１８、検出光学系１６、１３０等も全体制御部１９からの指令により駆動される。
【００２５】
ここで、本発明では、半導体ウェハ１１からの散乱光像である画像信号に加え、半導体ウェハ１１の設計データ３０も画像処理部１８に入力される。そして、画像処理部１８では、２つの画像信号に加え、設計データも統合して、欠陥抽出処理を行う。被検査対象物である半導体ウェハ１１は、例えばメモリマット部と周辺回路部とを有する同一パターンのチップが多数、規則的に並んでいる。全体制御部１９は半導体ウェハ１１をＸ−Ｙ−Ｚ−θステージ１２により連続的に移動させ、これに同期して、順次、チップの像を検出部１７、１３１より取り込み、得られた２種の散乱光の画像に対し、規則的に配列されたチップの同じ位置の画像と、対応する位置の設計データ３０からの画像特徴とを比較して欠陥を抽出する。そのデータの流れを図３に示す。半導体ウェハ１１において、例えばＸ−Ｙ−Ｚ−θステージ１２の走査により帯状の領域４０の画像が得られたとする。チップｎを検査対象チップとした場合、４１ａ、４２ａ、・・、４６ａは検出部１７から得られたチップｎの画像を６分割した分割画像である。また、３１ａ、３２ａ、・・、３６ａは検出部１７から得られた隣接するチップｍをチップｎと同様に６分割した分割画像である。同じ検出部１７から得られたこれらの分割画像は、縦縞で図示されている。一方、４１ｂ、４２ｂ、・・、４６ｂは検出部１３１から得られたチップｎの画像を同様に６分割した分割画像である。また、４１ｂ、４２ｂ、・・、４６ｂは検出部１３１から得られた隣接するチップｍを同様に６分割した分割画像である。同じ検出部１３１から得られたこれらの分割画像は、横縞で図示されている。また、１ｄ、２ｄ、・・、６ｄは設計データ３０について、６つに分割した分割画像に対応する位置のデータである。本発明では画像処理部１８に入力される２つの検出系の画像及び設計データについて、すべてのデータがチップ上で対応するように分割する。本発明に係る欠陥検査装置は、設計データ３０を後述する画像特徴に変換する。画像処理部１８は複数の並列に動作するプロセッサで構成されており、各対応する画像（例えば、検出部１７；１３１で得た対応するチップｎの分割画像４１ａ；４１ｂ、かつチップｍの対応する分割画像３１ａ；３１ｂ）と対応する設計データ（１ｄ）を同じプロセッサ１に入力し、欠陥抽出処理を行う。一方、プロセッサ２には、別の対応位置での、異なる検出部１７；１３１から取得したチップｎの分割画像（４２ａ；４２ｂ）とその対応する隣接チップｍの分割画像（３２ａ；３２ｂ）と対応する設計データ（２ｄ）を入力し、プロセッサ１と並行に欠陥抽出処理を行う。
【００２６】
次に、図３に示した、異なる２つの検出部１７；１３１の各々で取得されるチップｎの先頭の分割画像４１ａ；４１ｂを検査対象画像（以下、検出画像と記載）、隣接チップｍの対応する領域の分割画像３１ａ；３１ｂを参照画像とした場合において、画像処理部１８の例えば欠陥候補検出部１８−２における処理の流れについて説明する。図４は、画像処理部１８の例えば欠陥候補検出部１８−２及び欠陥抽出部１８−３が、異なる２つの検出部１７；１３１から取得した２種の画像情報（４１ａ；４１ｂ，３１ａ；３１ｂ）及び設計データ（１ｄ）の統合処理により欠陥候補を検出し、該検出された欠陥候補（はずれ画素）と設計データから得られる画像特徴とを統合処理して致命欠陥を抽出する処理のフローを示す図である。上述の通り、欠陥候補検出処理、欠陥抽出処理（致命欠陥抽出処理）は、それぞれ複数のプロセッサで並列に処理を行うが、各プロセッサには、同一位置を異なる検出部１７；１３１で取得した検出画像（４１ａ；４１ｂ）とそれに対応した参照画像（３１ａ；３１ｂ）、設計データ（１ｄ）がセットで入力され、欠陥候補検出処理及び欠陥抽出処理（致命欠陥抽出処理）が行われる。半導体ウェハ１１は前述の通り同一パターンが規則的に形成されており、検出画像４１ａと参照画像３１ａは本来、同一であるべきだが、多層膜でできているウェハ１１には、チップ間の膜厚の違いに起因して、画像間には大きな明るさの違いが生じている。また、ステージ走査時の振動などにより、画像取得位置がチップ間でずれているため、画像処理部１８の例えば前処理部１８−１は最初にそれらの補正を行う。まず、検出部１７により得られた検出画像４１ａと参照画像３１ａの明るさのずれを検出し、補正を行う（step５０１ａ）。次に、画像間の位置のずれを検出し、補正を行う（step５０２ａ）。同様に検出部１３０により得られた検出画像４１ｂと参照画像３１ｂの明るさのずれを検出し、補正を行う（step５０１ｂ）。次に画像間の位置のずれを検出し、補正を行う（step５０２ｂ）。
【００２７】
図５は、画像処理部１８の例えば欠陥候補検出部１８−２が行う明るさずれ検出、補正処理step５０１ａの処理フローを示す図である。入力される検出画像４１ａ、参照画像３１ａに（１）式に示す平滑化フィルタをかける。（１）式は、４１ａ、３１ａの各画素ｆ（ｘ，ｙ）に対し、平均０、分散σ２の２次元ガウス関数を用いた平滑化の実施例であるが、（２）式に示す単純平均化や、局所領域での中央値をとるメディアンフィルタなど、いずれでも構わない。次に、画像間の明るさのずれを補正するための補正係数を計算する。ここでは、画像内の全画素を用いた最小二乗近似による例を示す。これは、平滑化後の画像４１ａ’、３１ａ’の各点Ｇｆ（ｘ，ｙ）、Ｇｇ（ｘ，ｙ）について、（３）式に示す線形関係があると仮定し、（４）式が最小となるようにａ、ｂを算出し、これを補正係数ｇａｉｎ、ｏｆｆｓｅｔとするものである。そして、平滑化前の検出画像ｆ（ｘ，ｙ）の全画素に対して、（５）式の通りに明るさの補正を行う。
【００２８】
【数１】
2010175270.tif 000003
【００２９】
【数２】
2010175270.tif 000004
【００３０】
Ｇ（ｇ（ｘ，ｙ））＝ａ＋ｂ・Ｇ（ｆ（ｘ，ｙ））              （３）
Σ｛Ｇ（ｇ（ｘ，ｙ））−（ａ＋ｂ・Ｇ（ｆ（ｘ，ｙ））｝２     （４）
Ｌ（ｆ（ｘ，ｙ））＝ｇａｉｎ・ｆ(ｘ，ｙ)＋ｏｆｆｓｅｔ      （５）
図４に示した位置のずれ量検出、補正処理（step５０２ａ、step５０２ｂ）は一方の画像をずらしながら、他方の画像との間で輝度差の二乗和が最小になるずれ量を求める、もしくは、正規化相関係数が最大となるずれ量を求める方法等が一般的である。
【００３１】
次に、明るさ補正、及び位置補正を行った検出画像４１ａの対象画素に対して、参照画像３１ａの対応する画素との間で特徴量を演算する（step５０３ａ）。同様に検出画像４１ｂとその参照画像３１ｂも同様に特徴量を演算する（step５０３ｂ）。更に、検出部１７と検出部１３１との画像が時系列に撮像されたものであれば、検出画像４１ａと検出画像４１ｂとの位置ずれ量も同様に算出する（step５０４）。そして、検出部１７と検出部１３１との画像の位置関係を加味して、対象画素の特徴量全て、あるいは、いくつかを選択し、特徴空間を形成する（step５０５）。特徴量は、その画素の特徴を表すものであればよい。その一実施例としては、（１）コントラスト、（２）濃淡差、（３）近傍画素の明るさ分散値、（４）相関係数、（５）近傍画素との明るさの増減、（６）２次微分値等がある。これらの特徴量の一実施例は、検出画像の各点の明るさをｆ(x,y)、対応する参照画像の明るさをｇ(x,y)とすると以下の式でそれぞれの画像のセット（４１ａと３１ａ、４１ｂと３１ｂ）から算出する。
【００３２】
コントラスト；max{ｆ(x,y)、ｆ(x+1,y)、ｆ(x,y+1)、ｆ(x+1,y+1)}−
min{ｆ(x,y)、ｆ(x+1,y)、ｆ(x,y+1)、ｆ(x+1,y+1)}    （６）
濃淡差； ｆ(x,y)−ｇ(x,y)                                          （７）
分散； [Σ{ｆ(x+i,y+j)２}−{Σｆ(x+i,y+j)}２／Ｍ］／（Ｍ−１）
i,j=-1、0、1    Ｍ＝９     （８）
加えて、各画像の明るさそのもの（検出画像４１ａ、参照画像３１ａ、検出画像４１ｂ、参照画像３１ｂ）も特徴量とする。また、各検出系の画像を統合処理して、例えば、検出画像４１ａと検出画像４１ｂ、参照画像３１ａと参照画像３１ｂの平均値から（１）〜（６）の特徴量を求める等でも構わない。ここで、特徴量として、検出画像４１ａと参照画像３１ａで算出した明るさ平均Ｂａと、検出画像３１ｂと参照画像３１ｂで算出した明るさ平均Ｂｂの２つを選択する実施例について説明する。検出画像４１ａに対する検出画像４１ｂの位置のずれが（ｘ１，ｙ１）であった場合、検出部１７から算出した各画素（ｘ，ｙ）の特徴量Ｂａ（ｘ，ｙ）に対する、検出部１３１から算出した特徴量はＢｂ（ｘ＋ｘ１，ｙ＋ｙ１）である。このため、特徴空間は、Ｘ値をＢａ（ｘ，ｙ）、Ｙ値をＢｂ（ｘ＋ｘ１，ｙ＋ｙ１）として、２次元空間に全画素の値をプロットして生成する。そして、この２次元空間内でしきい値面を演算し（step５０６）、しきい値面の外側にある画素、すなわち、特徴的にはずれ値となる画素を欠陥候補として検出する（step５０７）。ここで、step５０５の特徴空間は２次元である実施例について説明したが、複数の特徴量のうち、いくつか、あるいは全ての特徴量を軸とする多次元特徴空間でも構わない。
【００３３】
更に、本発明では、検出画像に対応する領域の設計データ１ｄも同一プロセッサに入力される。入力された設計データ１ｄは、まず、上述の画像から算出される特徴量と同等に扱えるように、画像特徴（画像特徴量）に変換する（図４のstep５０８）。そして、設計データから算出した特徴量も加えた特徴空間から欠陥候補を検出することも可能である。
【００３４】
図６は３つの特徴量で形成した特徴空間の実施例である。対象画像の各画素を、特徴Ａ、Ｂ、Ｃの値に応じて特徴量Ａ、Ｂ、Ｃを軸とする特徴空間にプロットし、正常と推定された分布を囲むようにしきい値面を設定する。図中では、多角形面７０がしきい値面、７０に囲まれた画素が正常（ノイズを含む）、その外側にあるはずれ画素が欠陥候補である。正常範囲の推定には、ユーザが個別にしきい値を設定してもよいし、正常画素の特徴の分布は正規分布に従うと仮定し、対象画素が非欠陥画素である確率を求めて識別する方法でもよい。後者は、ｎ個の正常画素のｄ個の特徴量をｘ１、ｘ２、‥、ｘｎとすると、特徴量がｘとなる画素を欠陥候補として検出するための識別関数φは、（９）式、(１０)式で与えられる。
【００３５】
【数３】
2010175270.tif 000005
【００３６】
【数４】
2010175270.tif 000006
【００３７】
次に、設計データ１ｄを図４のstep５０８において画像特徴（画像特徴量）に変換し、該変換した画像特徴を用いて欠陥候補の検出を行う実施例について図７及び図８を用いて説明する。前述の検査対象画像４１ａ、３１ａ、４１ｂ、４１ｂとともに同じプロセッサに入力される設計データ１ｄは、図７の３０で示す通り、配線パターンの構造などが２値（白か黒か）情報になったものである。本発明においては、上記２値の設計データ１ｄと共に、検出したい欠陥（目的欠陥：例えば短絡欠陥や異物欠陥等）や対象工程、検査条件（照明の偏光状態、照明の波長、検出時の偏光状態などの光学条件）などの検査対象である半導体ウェハ１１に関する検査情報８１も一緒に同じプロセッサに入力し、さらに設計データ１ｄを、上記検査情報８１に応じて、特徴変換を行うことを特徴とする（step５０８）。該特徴変換（step５０８）は、上記２値の設計データ３０（１ｄ）を、上記検査情報（目的欠陥、対象工程、検査条件（照明の偏光状態、照明の波長、検出時の偏光状態などの光学条件）など）８１に応じて、画像と同様に２値以上の多値データに変換するものである。
【００３８】
特徴変換（多値データへの変換）の一実施例８３としては、２値の設計データ３０（１ｄ）において、検査情報８１である対象工程によって変動し得る配線パターンの密度や線幅を輝度値に変換したものである。配線パターンが疎な領域については低輝度（黒）に、密な領域になるほど高輝度（白）に変換する。このとき、検査対象ウェハの対象工程により、配線パターンの密度や線幅が異なるため、検査情報８１に応じた検査条件も反映した特徴変換（step５０８）を行うことになる。即ち、配線パターンが疎な領域については比較的大きな異物でも短絡する可能性が低いので感度を下げて欠陥候補を検出することになる。
【００３９】
特徴変換（多値データへの変換）の他の実施例８４としては、設計データ３０（１ｄ）を検査情報８１である光学条件（照明条件）に応じてパターンのコーナや太い配線パターンのエッジなどから散乱光として発生するノイズ（輝点）の発生確率を輝度値に変換したものである。ノイズの発生確率が高い箇所ほど高輝度（白）に変換する。ところで、パターンのコーナや太い配線パターンのエッジなどは欠陥ではないが光学条件（照明条件）によっては輝点（高輝度）を示すノイズの発生確率が高い箇所となる。
【００４０】
このように、欠陥候補検出部１８−２は、設計データ３０（１ｄ）を検査情報８１に応じて多値のデータに変換した画像特徴８３、８４と、検出部１７、１３１から得られた画像の特徴８５を統合処理して欠陥候補検出処理を行う（step５０５）。８５は、図４で示した入力画像４１ａ、３１ａ、４１ｂ、３１ｂから特徴量演算処理（step５０３ａ、step５０３ｂ、step５０４）を経て算出された特徴量の一実施例で、検出画像と参照画像との差異を示す欠陥候補である。明るいところほど、差異が大きく、欠陥である可能性が高いことを示す。８６、８７、８８は８５の欠陥候補の周辺を切り出した検出画像である。破線の円の中に欠陥がある。８６、８７の欠陥候補は８８の欠陥候補に比べて差異は大きいが、パターンのコーナ、もしくは高輝度な配線パターンのエッジ部で発生しており、ノイズである可能性が高い。このような場合、画像から算出される特徴量（図中の８５）のみからノイズを除去し、差異の小さい欠陥を検出できるしきい値を設定するのは困難なことがある。これに対し、本発明では、画像（４１ａ，４１ｂ，３１ａ，３１ｂ）から算出される特徴（８５）と設計データ（３０（１ｄ））から検査情報８１に応じて多値のデータに変換した画像特徴（８３、８４）を用いて統合処理を行い（step５０５）、差異が大きくても、ノイズの発生する確率が大きい箇所にあれば、感度を下げるなどをして、欠陥のみを検出することを可能とする。
【００４１】
図８は、上述の設計データ１ｄから検査情報８１に応じて多値のデータに変換した画像特徴８４と、画像から算出した特徴８５を統合処理してしきい値面を設定し（step５０６）、該設定されたしきい値面の外側のはずれ画素を検出する（step５０７）処理の一実施例を示す図である。図中９１は、８４のノイズの発生確率を示す画像特徴のＡ−Ｂ上の値である。９２は、８５の画像から算出した特徴量（ここでは参照画像との差異）のＡ−Ｂ上の値である。９３は、これらの特徴を統合処理して算出した欠陥確率分布のＡ−Ｂ上の値である。即ち、９２で示す特徴量（差異）が大きくてもノイズの発生確率９１が大きい箇所については統合処理されて欠陥確率分布９３は小さくなり、ノイズの発生確率９１が無い箇所については特徴量（差異）がそのまま欠陥確率分布９３として顕在化されることになる。従って、統合処理して算出された欠陥確率分布９３をしきい値と比較することによってはずれ画素（図中の白で示す）９４が欠陥候補として検出される。即ち、画像４１ａ，４１ｂ，３１ａ，３１ｂから算出した特徴８５において、特徴量（差異）は小さいが、設計データ（３０（１ｄ））から検査情報８１に応じて多値のデータに変換した画像特徴（８４）を基に得られるノイズ発生確率が小さい画素９４が欠陥候補として検出されることになる。
【００４２】
次に、欠陥抽出部１８−３において、欠陥候補検出部１８−２で検出された欠陥候補９４から、ユーザにとって必要な欠陥のみを抽出する処理について図９及び図１４を用いて説明する。欠陥抽出部１８−３は、欠陥候補検出部１８−２において検出された欠陥候補９４と一緒に設計データ１ｄから検査情報８１に応じて変換された画像特徴が入力されると、まず、欠陥候補９４の各々の寸法を推定する（step１５００）。そして、欠陥抽出部１８−３は、推定された欠陥候補９４の各々の寸法１０１と、画像特徴とを統合処理し（step１５０１）、各欠陥候補の致命度を算出し、致命な欠陥のみを抽出する（step１５０２）。
【００４３】
図９は、図８で検出したはずれ画素（欠陥候補）９４と、設計データ３０から算出した画像特徴８３とを統合処理して、致命欠陥を抽出する具体例を示す図である。９４の白点で示す欠陥候補について、それぞれ検出画像から欠陥部の寸法（欠陥部の画素数を計数することによって面積が算出され、欠陥部のＸ方向およびＹ方向の画素数を計数することによってＸ方向及びＹ方向の長さが算出される。）を推定する（step１５００）。そして、寸法情報１０１と配線パターンの密度を示す画像特徴８３とを統合し（step１５０１）、各欠陥候補がウェハ上で致命となる欠陥か否かを算出する。１０２はそれぞれの欠陥候補の致命度を輝度で示した致命性分布の実施例である。明るい点ほど致命性が高い。
【００４４】
以上に説明したように、本発明では、設計データを２値以上の多値の値を持つ画像特徴に変換し、画像から算出した特徴と欠陥判定処理の各段階（欠陥候補検出部、欠陥抽出部など）で統合することにより、ノイズと欠陥を識別したり、欠陥の致命性推定を行い、ノイズや不要な欠陥に埋没した致命性の高い欠陥の検出を可能とする。
【００４５】
更に本発明では、図４で示した、異なる光学条件で得られた画像の統合（step５０５）の際、設計データを使用することも可能である。例えば、図２の検出部１７と１３１から得られた検出画像４１ａと４１ｂの統合の際、画像間の対応関係が取れている、すなわち、対象物に対する画像内での画素位置が一致していることが望ましいが、これらの画像が時系列に撮像された場合、対象物に対する取得位置が必ずしも一致しているとは限らない。このため、画像４１ａと４１ｂの位置のずれを算出して、対応関係をとる必要がある（図４のstep５０４）。ここで、同一パターンに対し、異なる検出系、もしくは異なる光学条件で得られる像は、照明角度の違いによるパターンの光り方の違いや、検出条件の違いによる得られる散乱光の違いなどにより、見え方が異なることが多く、位置ずれ量を算出するのが困難なことがある。そこで、本発明では、例えば画像処理部１８は、設計データ３０を用いて見え方の異なる画像の対応点を決定する。図１０（ａ）は検出系、もしくは光学条件の異なる画像について、設計データ３０を利用した位置ずれ検出処理の流れである。１１００ａ、１１００ｂは、同一チップの同一領域に対して、異なる検出部１７、１３１より得られた画像の実施例を示す。この２枚の画像は検出系の違いにより、見え方が大きく異なっているため、step１６０３において、画像間の位置ずれ量を算出するのは難しい。そこで、本発明では、例えば画像処理部１８は、対応する領域の設計データ３０と、対象工程、検査条件といった検査対象である半導体ウェハに関する検査情報８１が入力されると、それぞれの検査条件（ここでは、２つの検出条件）における画像を設計データから推定し、対応点、すなわち条件間で共通に散乱光が得られる箇所を算出する（図１０の１１０１）。そして、step１６０３では、対応点１１０１が、２枚の画像１１００ａ、１１００ｂの間で一致する位置を位置ずれ量として算出する。ここでは、画像間の対応点についてはデータベース１１０２に登録されており、設計データ３０と検査条件８１が入力されると、それに対応する対応点がデータベース１１０２から探索される実施例を示す。データベース１１０２は、図１０（ｂ）に示す通り、設計データ３０に対し、検査情報である対象ウェハの対象工程、及び検査条件（照明条件（暗視野照明）、検出条件（検出仰角θ、検出方位角φ）など）毎の見え方を光学シミュレーションにより事前に推定し（１１０３）、登録することにより生成される。このように、対応点は事前に登録したデータベース１１０２から求めてもよいが、検査時に、設計データ３０が入力された段階で画像処理部１８が算出してもよい。
【００４６】
図１１は、例えば画像処理部１８が設計データを活用する別の実施例を示す図である。１２００ａは、検査対象となる画像（検出画像）、１２００ｂは対応する参照画像である。本発明では、例えば画像処理部１８は、１２００ａと１２００ｂと対応する位置の設計データ３０、対象工程、検査条件といった被検査対象である半導体ウェハに関する検査情報８１が入力されると、その検査条件における画像を設計データから推定し、入力された画像について、領域毎に最適な欠陥判定モードを自動で設定する（１２０２）。本発明では、例えば画像処理部１８は、複数の欠陥判定モードを備えており、パターンが光っているか、光っていないか、周期性のある領域か、周期性のないランダムな領域かなどの大まかな領域分けを推定画像から行い、検出画像に対して、設定された欠陥判定モードに従って領域毎に別々の欠陥判定処理を行う。これにより、高感度検査を実現する。ここでは、推定画像１２０１はあらかじめデータベース１１０２に登録されており、設計データ３０と検査条件８１が入力されると、それに対応する推定画像はデータベース１１０２から探索される。データベース１１０２は、図１０（ｂ）に示した通り、設計データ３０に対し、対象ウェハの工程、検査条件（照明条件、検出条件など）毎の見え方を光学シミュレーション（光学シミュレータを画像処理部１８または全体制御部１９に接続しても良い。）により事前に推定し（１１０３）、登録することにより生成される。このように、画像処理部１８は、事前に登録したデータベース１１０２から推定画像を求めてもよいが、検査時に、設計データが入力された段階で画像処理部１８が算出してもよい。また、画像処理部１８での領域毎欠陥判定モード設定１２０２は、推定画像のみを用いて行ってもよいが、検出された実際の画像と統合して行ってもよい。
【００４７】
図１２は、例えば画像処理部１８が行う領域毎の欠陥判定モード設定の実施例を示す図である。検出画像１２００ａについて、横縞で示す領域が周期性のないランダムパターンと推定された場合には、その領域を欠陥判定モードＡに設定する。欠陥判定モードＡは、検出画像１２００ａについて例えば参照画像１２００ｂと明るさを比較し、その差異の大きい画素を欠陥候補とする処理である。また、無地で示す領域は、パターンがない、すなわち、散乱光が発生しない、明るさが平坦な領域と推定された場合には、その領域は欠陥判定モードＢに設定する。欠陥判定モードＢは、検出画像１２００ａについて例えばしきい値と比較し、しきい値より明るい画素を欠陥候補とする処理である。また、斜線で示す領域は、微細な周期性のあるパターン領域と推定された場合には、その領域は欠陥判定モードＣに設定する。欠陥判定モードＣは、検出画像１２００ａについて例えば設計データと比較し、周期的パターンの間隔や線幅が設計値と大きく異なる画素を欠陥候補とする処理である。このように、参照画像との比較、しきい値との比較、設計データとの比較など領域毎に最適な欠陥判定処理を行うことにより、高感度に欠陥を検出する。また、設計データから領域を推定し、その特性に応じて欠陥判定モードを自動設定することにより、ユーザは複雑な領域設定や領域毎のモード設定を不要とする。
【００４８】
図１３（ａ）は、ＧＵＩ部１９−１を用いた複数の欠陥判定モードを領域毎に設定する場合の通常の設定方法を示す。図中の１４００は入力されるチップの画像である。これに対し、ユーザは画像を見ながら、矩形領域を設定し（step１４１）、指定した矩形領域毎に欠陥判定モードを設定する。ここでは、１４００の破線で囲まれた領域をモード２と設定（１４０１）、２重線で囲まれた領域をモード１と設定（１４０２）している。破線で囲まれた領域は、モード１とモード２の両者を設定されたことになるため、異なるモードが設定される領域には、優先順位を設定する（step１４２）。破線で囲まれた領域は、優先順位の高い欠陥判定モード２が設定される。図１３（ｂ）は、例えば画像処理部１８が図１２に示した設計データを活用した領域毎の欠陥判定モード自動設定の実施例を示す図である。チップの設計データ１４０３が入力されると、本発明では、例えば画像処理部１８は、設計データ３０から、セルエリア（微細な同一パターンが繰返して形成されているメモリマット部）か周辺回路部か、セルエリアのセルピッチ（繰返しパターンの周期）、セルの並び方向（画像のＸ方向か、Ｙ方向）、線幅などの構造情報を抽出する（step１４３）。そして、抽出した構造情報に応じて領域分割し、領域毎に最適な欠陥判定モードを設定する（１２０２）。１４０４は設計データ３０を基に設定された各領域の欠陥判定モードを、黒、縦縞、横縞、斜線で示したものである。これらの複数の欠陥判定処理は、並列で行うことも、時系列に行うことも可能である。
【００４９】
以上のように、本発明に係る欠陥検査装置によれば、複数の検出系、複数の光学条件といった見え方の異なる複数の画像４１ａ；４１ｂ，３１ａ；３１ｂと、対応する設計データ１ｂとを画像処理部１８に入力し、画像処理部１８は設計データ１ｂから検査情報８１に応じた複数の特徴を抽出して、多値の画像特徴を得る。そして、画像処理部１８は、画像４１ａ；４１ｂ，３１ａ；３１ｂから算出される特徴量８５と設計データ１ｄから抽出した多値の画像特徴８３，８４を用いて欠陥候補９４を高感度に検出することを可能とする。更に、画像処理部１８は、上記検出された欠陥候補９４から設計データ１ｂ（８３）を用いて致命性判定を行い、大量の非致命欠陥の中から致命性の高い欠陥を顕在化する。また、画像処理部１８は、見え方の異なる複数の画像の位置ずれ検出を行う際の対応点について、設計データから得て、位置合せを行い、特徴量を統合処理して欠陥候補９４を検出する。該欠陥候補９４の検出は、領域毎に異なる最適な欠陥判定モードに基づいて行う。ここで、設計データからチップ内のパターンのレイアウト情報を得て、その特性に応じて最適なモードを自動設定することにより、ユーザが煩雑な操作や設定を不要として、高感度な検査を可能とする。
【００５０】
ＣＭＰ等平坦化プロセス後のパターンの膜厚の微妙な違いや、照明光の短波長化により比較するチップ間に大きな明るさの違いがあっても、本発明により、２０ｎｍ〜９０ｎｍ欠陥の検出が可能となる。
【００５１】
また、ＳｉＯ２をはじめ、ＳｉＯＦ、ＢＳＧ、ＳｉＯＢ、多孔質シリア膜、等の無機絶縁膜や、メチル基含有ＳｉＯ２、ＭＳＱ、ポリイミド系膜、パレリン系膜、テフロン（登録商標）系膜、アモルファスカーボン膜等の有機絶縁膜といったｌｏｗ  ｋ膜の検査において、屈折率分布の膜内ばらつきによる局所的な明るさの違いがあっても、本発明の実施の形態によれば、２０ｎｍ〜９０ｎｍ欠陥の検出が可能となる。
【００５２】
以上、本発明の実施の形態について半導体ウェハを対象とした暗視野検査装置における比較検査画像の実施例について説明したが、電子線式パターン検査における比較画像にも適用可能である。また、明視野照明のパターン検査装置にも適用可能である。
【００５３】
検査対象は半導体ウェハに限られるわけではなく、画像の比較により欠陥検出が行われているものであれば、例えばＴＦＴ基板、ホトマスク、プリント板等でも適用可能である。
【図面の簡単な説明】
【００５４】
【図１】本発明に係る欠陥検査装置の構成を示す概念図である。
【図２】本発明に係る欠陥検査装置の一実施の形態を示す概略構成図である。
【図３】本発明に係る異なる光学条件で検出する複数の画像と設計データとの分配方法の説明図である。
【図４】本発明に係る異なる光学条件で検出する複数の画像と設計データとの統合処理による欠陥候補検出処理と欠陥抽出処理（致命欠陥抽出処理）とを画像処理部が行う一実施の形態を示す図である。
【図５】本発明に係る画像処理部（例えば欠陥候補検出部）における画像間の明るさずれ補正処理の一実施例を示す図である。
【図６】本発明に係る画像処理部（例えば欠陥候補検出部）において行う特徴空間形成（統合処理）おけるしきい値面とはずれ画素（欠陥候補）の説明図である。
【図７】本発明に係る画像処理部（例えば欠陥候補検出部）において設計データを検査情報に応じて画像特徴に変換し、画像と統合処理して欠陥候補を検出する一実施例を示す図である。
【図８】本発明に係る画像処理部（例えば欠陥候補検出部）において設計データを検査情報に応じて画像特徴に変換し、画像と統合して欠陥候補を検出する別の実施例を示す図である。
【図９】本発明に係る画像処理部（例えば欠陥抽出部）において設計データを検査情報に応じて画像特徴に変換し、欠陥候補の致命性判定を行う実施例を示す図である。
【図１０】本発明に係る画像処理部（例えば欠陥候補検出部）において設計データから、光学条件の異なる画像の対応点を算出する実施例を示す図である。
【図１１】本発明に係る画像処理部（例えば欠陥候補検出部）において設計データから、領域毎に異なる欠陥候補検出処理を設定する実施例を示す図である。
【図１２】本発明に係る画像処理部（例えば欠陥候補検出部）において領域毎に異なる欠陥候補検出処理が設定された実施例を示す図である。
【図１３】本発明に係る画像処理部（例えば欠陥候補検出部）において行う領域毎の欠陥判定モードの設定方法の説明図である。
【図１４】本発明に係る画像処理部（例えば欠陥抽出部）において設計データを検査情報に応じて画像特徴に変換し、欠陥候補の致命性判定を行う一実施の形態を示す図である。
【符号の説明】
【００５５】
２…メモリ、３ａ、３ｂ…散乱光、１１…半導体ウェハ、１２…Ｘ−Ｙ−Ｚ−θステージ、１３…メカニカルコントローラ、１５ａ、１５ｂ…照明部、１６…検出光学系、１７、１３１…検出部、１８…画像処理部、１８−１…前処理部、１８−２…欠陥候補検出部、１８−３…欠陥抽出部、１８−４…欠陥分類部、１８−５…パラメータ設定部（教示データ設定部）、１９−１…ユーザインターフェース部、１９−２…記憶装置、１９…全体制御部、３０…設計データ、１ｄ−６ｄ…設計データ、４１ａ−４６ａ、４１ｂ−４６ｂ…検出画像、３１ａ−３６ａ、３１ｂ−３６ｂ…参照画像、８１…検査情報、８３、８４…設計データの画像特徴、８５…検出画像と参照画像との差異で示される欠陥候補、８６、８７、８８…欠陥候補８５の周辺を切り出した欠陥候補を含む検出画像、９４…欠陥候補、１０１…各欠陥候補の寸法情報、１０２…致命性分布、１１０２…データベース。
【図１】
2010175270.tif 000007
【図２】
2010175270.tif 000008
【図３】
2010175270.tif 000009
【図４】
2010175270.tif 000010
【図５】
2010175270.tif 000011
【図６】
2010175270.tif 000012
【図７】
2010175270.tif 000013
【図８】
2010175270.tif 000014
【図９】
2010175270.tif 000015
【図１０】
2010175270.tif 000016
【図１１】
2010175270.tif 000017
【図１２】
2010175270.tif 000018
【図１３】
2010175270.tif 000019
【図１４】
2010175270.tif 000020